(57)【特許請求の範囲】
【請求項１】
注射針の針基が外嵌されるルアーテーパ部の基部に、前記ルアーテーパ部の最大外径より外径が大きく且つ最大肉厚より肉厚が大きな筒状の首部が形成され、前記首部の外周面に複数の周方向の凹溝が形成されたシリンジと、
注射針の針基リムを螺着される雌ネジ孔が内周面に形成された筒状の螺合部の基部に、前記首部の外周面に沿って外嵌される筒状の嵌合部が形成され、前記嵌合部の内周面に前記凹溝に嵌合する複数の周方向の凸条が形成されたロック筒とを備え、
前記ルアーテーパ部と前記首部との境界にくびれ部が形成され、
前記螺合部と前記嵌合部との境界に、前記くびれ部に嵌合する内向きフランジが形成されていることを特徴とするロック筒付きシリンジ。
【請求項２】
前記首部の外周面及び前記嵌合部の内周面のいずれか一方に少なくとも一つの凸部が形成され、他方に前記凸部と係合して前記ロック筒の回転を防止する少なくとも一つの凹部が形成されていることを特徴とする請求項１記載のロック筒付きシリンジ。
【発明の詳細な説明】
【０００１】
【発明の属する技術分野】
本発明は、シリンジの筒先部にロック筒が装着されたロック筒付きシリンジに関する。
【０００２】
【従来の技術】
図４に示すように、従来のロック筒付きシリンジは、ガラス製等のシリンジ１の筒先部２に形成されたルアーテーパ部３の基部に、ルアーテーパ部３より外径が小さく且つ肉薄なくびれ部４が全周にわたって形成されている。また、合成樹脂製等のロック筒５の内周面には、ルアーテーパ部３の最大外径より大径の雌ネジ孔６が形成され、ロック筒５の後端には内向きフランジ７が環状に形成されている。フランジ７の内周縁７ａの内径はルアーテーパ部３の最大外径より小さくなっており、ロック筒５のフランジ７側からルアーテーパ部３の先端を押し込んでフランジ７をくびれ部４に外嵌させることにより、ロック筒５がシリンジ１に抜け止めされて装着される。
【０００３】
ルアーテーパ部３は注射針の針基８を外嵌可能に形成され、ロック筒５の雌ネジ孔６は注射針の針基リム９を螺着可能に形成されている。注射針の針基８をルアーテーパ部３に外嵌して、針基リム９を雌ネジ孔６に螺着することにより、注射針がロック筒５に抜け止めされてシリンジ１に装着される。
【０００４】
しかし、前記のロック筒付きシリンジでは、シリンジ１のくびれ部４がルアーテーパ部３より肉薄であり、強度が弱い。そのため、ロック筒５をシリンジ１に装着するときや、そのロック筒５に注射針を装着するときなどにくびれ部４に加わる力によって、シリンジ１がくびれ部４で折れ易い不都合がある。
【０００５】
また、ロック筒５は、そのフランジ７とシリンジ１のくびれ部４とが嵌合した狭い範囲のみによってシリンジ１に支持されているので、ロック筒５がルアーテーパ部３の中心軸に対して傾いて装着されやすい。そのため、注射針をロック筒５に装着する際に、ロック筒５の傾きを直して姿勢を調整しなければならない場合が生じる不都合がある。
【０００６】
【発明が解決しようとする課題】
かかる不都合を解決するため、本発明は、シリンジがルアーテーパ部の基部で折れるのを防止し、更にロック筒が傾くことなくシリンジに抜け止めされて装着されるロック筒付きシリンジを提供することを目的とする。
【０００７】
【課題を解決するための手段】
かかる目的を達成するため、本発明のロック筒付きシリンジは、注射針の針基が外嵌されるルアーテーパ部の基部に、前記ルアーテーパ部の最大外径より外径が大きく且つ最大肉厚より肉厚が大きな筒状の首部が形成され、前記首部の外周面に複数の周方向の凹溝が形成されたシリンジと、注射針の針基リムを螺着される雌ネジ孔が内周面に形成された筒状の螺合部の基部に、前記首部の外周面に沿って外嵌される筒状の嵌合部が形成され、前記嵌合部の内周面に前記凹溝に嵌合する複数の周方向の凸条が形成されたロック筒とを備え、前記ルアーテーパ部と前記首部との境界にくびれ部が形成され、前記螺合部と前記嵌合部との境界に、前記くびれ部に嵌合する内向きフランジが形成されていることを特徴とする。
【０００８】
本発明によれば、シリンジのルアーテーパ部の基部に、ルアーテーパ部の最大外径より外径が大きく且つ最大肉厚より肉厚が大きな筒状の首部が形成されているので、首部の強度が高くなっている。そして、この首部にロック筒の嵌合部を外嵌させることによりロック筒がシリンジに装着される。従って、ロック筒をシリンジに装着するときや、シリンジに装着されたロック筒に注射針を装着するときなどに力が加わる部分の強度が強化され、ルアーテーパ部が折れるのを防止することができる。
【０００９】
また、ロック筒の筒状の嵌合部がシリンジの筒状の首部の外周面に沿って外嵌するので、ロック筒が傾いて装着されるのが防止される。これにより、シリンジに装着されたロック筒に注射針を装着するときに、ロック筒の傾きを直す手間なしに注射針を装着することができる。
【００１０】
更に、首部の外周面に少なくとも一つの周方向の凹溝が形成され、前記嵌合部の内周面に前記凹溝に嵌合する少なくとも一つの周方向の凸条が形成されているので、首部に嵌合部を外嵌させたときに凹溝と凸条とを嵌合させて、ロック筒をシリンジに抜け止めして装着することができる。
【００１１】
また、本発明のロック筒付きシリンジは、前記くびれ部と、該くびれ部に嵌合する内向きフランジとが形成されていることにより、ロック筒のシリンジからの抜け止めが一層強化される。また、内向きフランジが首部の先端面にあたってロック筒の傾動を防止することができる。
【００１２】
また、本発明のロック筒付きシリンジは、前記首部の外周面及び前記嵌合部の内周面のいずれか一方に少なくとも一つの凸部が形成され、他方に前記凸部と係合して前記ロック筒の回転を防止する少なくとも一つの凹部が形成されていることが好適である。前記首部に前記嵌合部が外嵌されたときに前記凸部と前記凹部とを係合させることにより、前記ロック筒が前記シリンジに対して回転するのを防止し、ロック筒の螺合部に注射針の針基を容易に螺着させることができる。
【００１３】
【発明の実施の形態】
次に本発明の一の実施形態を図面を参照して説明する。図１は本発明のロック筒付きシリンジの要部の断面図、図２は図１のシリンジの平面図、図３（ａ）は図１のロック筒の断面図、図３（ｂ）は図１のロック筒の底面図である。
【００１４】
図１及び図２を参照して、シリンジ１０はガラス等でできており、薬液を充填可能な筒状の胴部１１を有している。シリンジ１０の筒先部には、従来の注射針Ｘの針基Ｙに外嵌される先細りのルアーテーパ部１２が形成されている。ルアーテーパ部１２はその後端部の外径が最大外径ｄとなり、また該後端部の肉厚が最大肉厚ｔとなっている。ルアーテーパ部１２の先端面１３には、胴部１１から連通する通路１４が開口している。
【００１５】
ルアーテーパ部１２の基部には、ルアーテーパ部１２と胴部１１に形成された肩部１５とを接続する筒状の首部１６が形成されている。ルアーテーパ部１２と首部１６との境界には、くびれ部１７が形成されている。首部１６の略中央部の外周面には、周方向に延びる凹溝１８が形成されている。首部１６の後端部の肩部１５との境界には、周方向に延びる凹溝１９が形成されている。凹溝１８の一部には、凹溝１８の底から首部１６と略面一になるまで隆起した一つの凸部２０が形成されている。
【００１６】
首部１６の外径Ｄはルアーテーパ部１２の最大外径ｄより大きくなっている。また、首部１６の肉厚Ｔ１もルアーテーパ部１２の最大肉厚ｔより大きくなっており、更に、首部１６の凹溝１８が形成された部分の肉厚Ｔ２及び凹溝１９が形成された部分の肉厚Ｔ３も、ルアーテーパ部１２の最大肉厚ｔより大きくなっている。
【００１７】
図１、図３（ａ）及び図３（ｂ）を参照して、ロック筒３０は硬質で弾性のある合成樹脂製であり、筒状の螺合部３１の基部に筒状の嵌合部３２が形成されている。螺合部３１の内周面には、ルアーテーパ部１２に注射針Ｘの針基Ｙを外嵌させたときに針基リムＺを螺着される雌ネジ孔３３が形成されている。
【００１８】
螺合部３１と嵌合部３２との境界の内周面には、ルアーテーパ部１２と首部１６との境界のくびれ部１７に嵌合する内向きフランジ３４が形成されている。フランジ３４がくびれ部１７に嵌合したとき、フランジ３４は首部１６の先端面１６ａにほぼ沿って伸びている。図３（ｂ）に示すように、フランジ３４には４箇所の切欠部３４ａが形成されている。
【００１９】
嵌合部３２の内径はシリンジ１０の首部１６の外径Ｄより僅かに大きく形成されており、フランジ３４がくびれ部１７に嵌合したとき、首部１６の外周面に沿って嵌合部３２が嵌合される。嵌合部３２の内周面の略中央部には、首部１６の前記凹溝１８に嵌合する、周方向に延びる凸条３５が形成されている。嵌合部３２の内周面の後端部には、首部１６の前記凹溝１９に嵌合する、周方向に延びる凸条３６が形成されている。周方向に延びる凸条３５，３６にはそれぞれ、４箇所の切欠部３５ａ，３６ａが形成されている。
【００２０】
凸条３５の各切欠部３５ａ（凹部）は、首部１６の凹溝１８に形成された凸部２０と嵌合するように形成されており、この嵌合による凸部２０との係合によって首部１６に外嵌された嵌合部３２が回転するのを防止する。
【００２１】
次に、図１を参照して、シリンジ１０にロック筒３０を装着する場合には、ロック筒３０の凸条３５に形成された切欠部３５ａの一つが、シリンジ１０の凹溝１８に形成された凸部２０と嵌合するように位置を合わせて、ルアーテーパ部１２が嵌合部３２側から挿入されるようにロック筒３０をシリンジ１０に押し込んでゆく。
【００２２】
この押し込みにより、ロック筒３０の凸条３６は、シリンジ１０の首部１６の先端面１６ａ及び凹溝１８を弾性変形しながら乗り越えて、凹溝１９に嵌合する。同様に、ロック筒３０の凸条３５は、シリンジ１０の首部１６の先端面１６ａを乗り越えて、凹溝１８に嵌合する。また、凸条３５の切欠部３５ａの一つがシリンジ１０の凹溝１８の凸部２０と嵌合する。更に、ロック筒３０の内向きフランジ３４が、シリンジ１０のくびれ部１７に嵌合する。このとき、合成樹脂製のロック筒３０のフランジ３４及び凸条３５，３６はそれぞれ４箇所の切欠部３４ａ，３５ａ，３６ａを形成されているので、小さな押圧力でもロック筒３０をシリンジ１０に装着することができる。
【００２３】
シリンジ１０の首部１６の外周面に沿ってロック筒３０の嵌合部３２が外嵌するので、ロック筒３０の傾動が防止され、ロック筒３０がルアーテーパ部１２の軸に対して傾くことなくシリンジ１０に装着される。また、首部１６の凹溝１８，１９のそれぞれに嵌合部３２の凸条３５，３６が嵌合するので、ロック筒３０がシリンジ１０に抜け止めされる。更に、ロック筒１０のフランジ３４がシリンジ１０のくびれ部１７に嵌合することにより、ロック筒３０の抜け止めが一層強化されると共に、フランジ３４が首部１６の先端面１６ａにあたって、ロック筒３０の傾動が防止される。
【００２４】
このロック筒付きシリンジに注射針を装着する場合には、シリンジ１０に装着されたロック筒３０の螺合部３１に注射針Ｘの針基Ｙを挿入し、雌ネジ孔３３に針基リムＺを螺着させて、針基Ｙをルアーテーパ部１２に外嵌させる。雌ネジ孔３３に針基リムＺを螺着する際、ロック筒３０の切欠部３５ａ（凹部）がシリンジ１０の凸部２０に係合してロック筒３０が注射針Ｘと共に回転するのを防止するので、雌ネジ孔３３に針基リムＺを容易に螺着することができる。
【００２５】
また、上記のロック筒３０をシリンジ１０に装着するときや、ロック筒３０を装着したシリンジ１０に注射針Ｘを装着するときには、ロック筒３０が外嵌されたシリンジ１０の首部１６及び首部１６と肩部１５との境界付近に力が加わる。しかし、首部１６及び首部１６と肩部１５との境界付近の肉厚Ｔ１，Ｔ２，Ｔ３はいずれもルアーテーパ部１２の最大肉厚ｔより大きく、これらの部分のシリンジ１０の強度が高くなっているので、シリンジ１０がこれらの部分で折れることが防止される。
【００２６】
本発明の上記実施形態のロック筒付きシリンジでは、シリンジ１０の首部１６の外周面に２個の凹溝１８、１９が形成されたが、これに限らず、首部１６の外周面に３つ以上の凹溝を形成することも可能である。
【００２７】
また、各凸条３５，３６と各凹溝１８，１９との嵌合が強固になるように、凸条３５の内周縁３５ｂの内径及び凸条３６の内周縁３６ｂの内径を首部１６の外径Ｄより小さくしてもよい。また、ロック筒３０の弾力性に応じて、フランジ３４、凸条３５，３６に各切欠部３５ａ，３６ａを設けないようにしてもよい。
【００２８】
また、ロック筒３０の回転防止のため、凹溝１８に一つの凸部２０が形成されたが、これに限らず、凹溝１８に２つ以上の凸部を形成することや、同様の凸部を凹溝１９に少なくとも一つ形成することも可能である。この場合、各凸部は各凹溝１８，１９に嵌合する各凸条３５，３６の各切欠部３５ａ，３６ａと嵌合する位置に形成される。更に、これらの凹溝１８，１９とは別の位置に、首部１６の外周面及び嵌合部３２の内周面の一方に凸部を形成し、他方に前記凸部と係合してロック筒３０の回転を防止する凹部を形成してもよい。
【図面の簡単な説明】
【図１】本発明のロック筒付きシリンジの要部の断面図。
【図２】図１のロック筒を取り外したシリンジの平面図。
【図３】（ａ）は図１のロック筒の断面図、（ｂ）はその底面図。
【図４】従来のロック筒付きシリンジの断面図。
【符号の説明】
１０・・シリンジ、  １１・・胴部、  １２・・ルアーテーパ部、  １６・・首部、  １７・・くびれ部、  １８，１９・・凹溝、  ２０・・凸部、  ３０・・ロック筒、  ３１・・螺合部、  ３２・・嵌合部、  ３３・・雌ネジ孔、  ３４・・フランジ、  ３５，３６・・凸条、  ３５ａ・・切欠部（凹部）、  Ｘ・・注射針、  Ｙ・・針基、  Ｚ・・針基リム
【図１】
0003579375.tif 000002
【図２】
0003579375.tif 000003
【図３】
0003579375.tif 000004
【図４】
0003579375.tif 000005